(57)【要約】      （修正有）【課題】有害廃棄物をドラム缶等に詰めた状態で搭載し、安全に搬送することができるドラム缶搬送用コンテナを提供する。【解決手段】底面１１及び側面１２よりなる方形容器状のドラム缶搬送用コンテナ１０であって、開放された上面１３の周囲に設けられた上端梁桁部材１４の上部に、荷締めベルトを接続するための逆Ｕ字状のフック金具１５を設けるとともに、方形容器状のドラム缶搬送用コンテナの四隅には支柱が上端梁桁部材の高さ位置よりも上方にまで立設している。また、ドラム缶搬送用コンテナの容積が、ドラム缶１２本分の内容積の合計よりも大きいものである。【選択図】図１
0003217985.tif 000002
【実用新案登録請求の範囲】
【請求項１】
底面及び側面よりなる方形容器状のドラム缶搬送用コンテナであって、
開放された上面の周囲に設けられた上端梁桁部材の上部に、
荷締めベルトを接続するための逆Ｕ字状のフック金具を設けるとともに、
方形容器状のドラム缶搬送用コンテナの四隅には支柱が前記上端梁桁部材の高さ位置よりも上方にまで立設していることを特徴とするドラム缶搬送用コンテナ。
【請求項２】
前記ドラム缶搬送用コンテナの容積が、
ドラム缶１２本分の内容積の合計よりも大きいものであることを特徴とする請求項１に記載のドラム缶搬送用コンテナ。
【考案の詳細な説明】
【技術分野】
【０００１】
本考案は、ドラム缶を安全に運搬することができるドラム缶搬送用コンテナに関するものである。
【背景技術】
【０００２】
近年、廃棄物の不法投棄が環境汚染を助長し、社会問題となっており、この投棄された廃棄物を回収することが急務になっている。
特に、ＰＣＢなどの有害廃棄物の不法投棄は人の健康及び生活環境に著しい被害を与えるおそれがあり、特殊な装備を有した遠方の処理施設へ搬送しなければ処理できない。
そこで、これら有害廃棄物を回収して処理するため、ドラム缶に詰めて倉庫等の保管場所で保管された後搬送され、処理が行われている。
ドラム缶は、搬送中に運搬車から転倒したり、または転落しないように固定する必要があった。
このため、ドラム缶を搬送する際に使用するためのコンテナが提案されている。
【０００３】
例えば、特許文献１には、有害廃棄物を回収するためのフォークリフトで搬送可能な回収用コンテナが記載されている。
また、特許文献２には、液体を外部に漏らさずにフォークリフトで搬送できるようにした回収コンテナが記載されている。
しかしながら、これら従来提案されているコンテナは、有害廃棄物を直接収容するものであったり、有害廃棄物をドラム缶に収容して運搬したりするためのものではなく、その構造も複雑なものであった。
【先行技術文献】
【特許文献】
【０００４】
【特許文献１】特開平６−３４５０８９号公報
【特許文献２】特開２００４−４３０７６号公報
【考案の概要】
【考案が解決しようとする課題】
【０００５】
従来、硫酸ピッチやＰＣＢ等の有害廃棄物を収納したドラム缶を搬送するには、任意の本数のドラム缶を固定して搬送する場合は、搬送中にドラム缶が移動して、内容物がドラム缶から漏れ出すおそれがあった。
本考案は、有害廃棄物の回収や搬送に際して、上記の問題点を解決することを目的とするものである。
すなわち、本考案の課題は、有害廃棄物をドラム缶等に詰めた状態で搭載し、安全に搬送することができるドラム缶搬送用コンテナを提供することである。
【課題を解決するための手段】
【０００６】
（１）本考案のドラム缶搬送用コンテナは、
底面及び側面よりなる方形容器状のドラム缶搬送用コンテナであって、
開放された上面の周囲に設けられた上端梁桁部材の上部に、荷締めベルトを接続するための逆Ｕ字状のフック金具を設けるとともに、
方形容器状のドラム缶搬送用コンテナの四隅には支柱が前記上端梁桁部材の高さ位置よりも上方にまで立設していることを特徴とする。
（２）本考案のドラム缶搬送用コンテナは、上記（１）において、前記ドラム缶搬送用コンテナの容積が、ドラム缶１２本分の内容積の合計よりも大きいものであることを特徴とする。
【考案の効果】
【０００７】
本考案のドラム缶搬送用コンテナは、底面及び側面よりなる方形容器状であって、開放された上面の周囲に設けられた上端梁桁部材の上部に、荷締めベルトを接続するための逆Ｕ字状のフック金具を設けるとともに、荷締めベルトを逆Ｕ字状のフック金具に接続して、任意の本数のドラム缶を搬送用コンテナ内に固定することができる。
また、方形容器状のドラム缶搬送用コンテナの四隅には支柱が前記上端梁桁部材の高さ位置よりも上方にまで立設している構造としたので、有害廃棄物を収納したドラム缶に荷重をかけることなく上下に積載した状態で搬送することができる。
さらに、搬送用コンテナを方形の容器状にして、万が一、搭載したドラム缶から内容物が全部漏れ出しても、容器の中に留めおき外部には溢れることのない容積を確保した。
【図面の簡単な説明】
【０００８】
【図１】本考案のドラム缶搬送用コンテナの全体を示す斜視図である。
【図２】本考案のドラム缶搬送用コンテナの上面図である。
【図３】本考案のドラム缶搬送用コンテナの前面図である。
【図４】本考案のドラム缶搬送用コンテナの右側面図である。
【図５】本考案のドラム缶搬送用コンテナにドラム缶１２本を搭載した状態を示す斜視図である。
【図６】図５に示すドラム缶搬送用コンテナを２段重ねた状態を示す斜視図である。
【図７】実施例のドラム缶搬送用コンテナの全体を示す斜視図である。
【図８】実施例のドラム缶搬送用コンテナにドラム缶１２本を搭載したものを２段重ねた状態でトラックの荷台に載置した状態を示す正面図である。
【考案を実施するための形態】
【０００９】
＜搬送用コンテナ全体の構成＞
次に、本考案を実施例によって具体的に説明する。
図１は、本考案のドラム缶搬送用コンテナの全体を示す斜視図である。
図２は、本考案のドラム缶搬送用コンテナの上面図である。
図３は、本考案のドラム缶搬送用コンテナの前面図である。
図４は、本考案のドラム缶搬送用コンテナの右側面図である。
図５は、本考案のドラム缶搬送用コンテナにドラム缶１２本を搭載した状態を示す斜視図である。
図６は、図５に示すドラム缶搬送用コンテナを２段重ねた状態を示す斜視図である。
図示するように、本考案のドラム缶搬送用コンテナ１０は、底面１１及び側面１２より構成される方形容器状であり、例えば、底面１１及び四方の側面１２（１２ａ、１２ｂ、１２ｃ、１２ｄ）より構成された方形箱状コンテナである。
これら底面１１及び側面１２の素材は、耐腐食性で強度の強い剛性の材料で形成することが好ましく、例えば、厚み３．２ｍｍのステンレス鋼板等が挙げられる。
また、コンテナには、内部または外部に補強のためのリブや補強板を設けることもできる。
なお、実施の形態では、コンテナ内部の寸法は、ドラム缶２０を底面１１上に立てた状態で、３×４＝１２本を搭載可能な大きさである。
【００１０】
＜コンテナの上端梁桁部材１４＞
ドラム缶搬送用コンテナ１０の上面１３は開放状態であり、開放された上面１３の４辺には、上端梁桁部材１４が水平状態に設けられている。
そして、その上端梁桁部材１４の上部には、荷締めベルト１６を接続するための逆Ｕ字状のフック金具１５が溶接などの手段によって取り付けられている。
上端梁桁部材１４は、ドラム缶搬送用コンテナ１０を構成する４枚の側面１２ａ、１２ｂ、１２ｃ、１２ｄのそれぞれの上端に沿って水平方向に差し渡されている。上端梁桁部材１４としては、矩形状のパイプ部材などが挙げられる。
この上端梁桁部材１４は、ドラム缶搬送用コンテナ１０の曲げ応力を主として担うようになっている。
【００１１】
＜逆Ｕ字状フック金具１５＞
逆Ｕ字状のフック金具１５は、４本の上端梁桁部材１４のそれぞれの上部に、溶接等の手段によって取り付けられている。
このフック金具１５は、荷締めベルトの先端部を接続するための治具であり、コンテナ１０内に搭載されたドラム缶２０をコンテナ側壁に付勢させて固定するために用いる。
この逆Ｕ字状のフック金具１５に荷締めベルト１６を接続して、ドラム缶搬送用コンテナ１０内に任意の本数のドラム缶を固定することができる。
例えば、搭載されるドラム缶２０の本数は１本でもよく、１２本でもよい。
搭載するドラム缶２０の本数によって、荷締めベルト１６の先端部を接続するフック金具１５が適宜選択される。
また、コンテナのサイズを大きなものにすれば、それ以上の本数のコンテナを搭載することもできる。
【００１２】
＜支柱１７＞
方形容器状のドラム缶搬送用コンテナ１０の四隅には、支柱１７が前記上端梁桁部材１４の高さ位置よりも上方にまで立設している。
この支柱１７が、コンテナに収納したドラム缶の高さよりも高い位置まで立設されていることによって、ドラム缶搬送用コンテナ１０を２段重ねに積載した場合でも、上段のコンテナの底がドラム缶２０に荷重をかけることがない。
なお、各支柱１７の上部には、係合部材１７ａが設けられており、コンテナを重ねて積載する場合に、上段のコンテナの支柱の底部に係合して移動しないように固定することができるようにしている。
【００１３】
＜フォークリフト爪挿入用開口部１８＞
ドラム缶搬送用コンテナ１０を移動する場合などに、フォークリフト爪が挿入できるように、底面１１の下で、前側面１２ａ及び後側面１２ｃの下部にはフォークリフト爪挿入用開口部１８が設けられている。
実施の形態では、２個の開口部１８が設けられている。
【００１４】
＜ドラム缶の定義＞
本明細書でいう搬送するドラム缶２０は、上下に円形で平面の部分（天蓋）があり、上になる方がバンドで締め付けられており、これを外すと大きく開けられるオープンドラムを主として対象とする。
日本ではＪＩＳ規格により大きさや寸法が定められている。
大きさは５種類あるが、一般に油などの搬送用ドラム缶の容量は２００リットルのものであり、直径が約０．６ｍ、高さが約０．９ｍである。
なお、本明細書では、２００リットルのドラム缶を例にして説明する。
なお、腐食性のある液体化学品を収納する場合などに対応するため、鋼製のドラムの内側に、ポリエチレンなどの合成樹脂で作った内層容器を入れた、ケミカルドラムと呼ばれる複合ドラム缶も含む。
【００１５】
＜実施例＞
図７は、実施例のドラム缶搬送用コンテナの全体を示す斜視図である。
図８は、実施例のドラム缶搬送用コンテナにドラム缶１２本を搭載したものを２段重ねた状態でトラックの荷台に載置した状態を示す正面図である。
【符号の説明】
【００１６】
１０、１０ａ、１０ｂ：ドラム缶搬送用コンテナ
１１：底面
１２、１２ａ、１２ｂ、１２ｃ、１２ｄ：側面
１３：上面
１４：上端梁桁部材
１５：逆Ｕ字状フック金具
１６：荷締めベルト
１７：四隅の支柱
１７ａ：係合部材
１８：フォークリフト爪挿入用開口部
１９：係合部材
２０：ドラム缶
【図１】
0003217985.tif 000003
【図２】
0003217985.tif 000004
【図３】
0003217985.tif 000005
【図４】
0003217985.tif 000006
【図５】
0003217985.tif 000007
【図６】
0003217985.tif 000008
【図７】
0003217985.tif 000009
【図８】
0003217985.tif 000010